(57)【要約】    【課題】膝を曲げて座ることが出来る椅子に変形することが可能であり、必要に応じて机も形成出来、さらにトイレに変形することも可能である変形可能ベッドの提供。    【解決手段】変形可能ベッド１は、１２個の床部に分割されている。各床部は、制御部１７の制御に従い、昇降アクチュエータ１４により各別に昇降される。頭側の床部２、床部１０及び床部６と、頭側から２列目の床部１１の両側の床部３及び床部７とが、床部１１より一段上昇させられ、床部１１より足側の床部１２が、床部１１より一段下降させられる。足側の床部５、床部１３及び床部９が、床部１１より一段上昇させられる。これにより、変形可能ベッド１が椅子と机とに変形される。【選択図】図６
2006230494.tif 000002
【特許請求の範囲】
【請求項１】
複数の床部と、
該床部を昇降させる昇降アクチュエータと
を備えており、
上記床部を各別に昇降させることにより、椅子が形成されるように構成されている変形可能ベッド。
【請求項２】
上記床部により机が形成されるように構成されている請求項１に記載の変形可能ベッド。
【請求項３】
上記床部に収納部が内設されている請求項１又は２に記載の変形可能ベッド。
【請求項４】
上記床部の昇降が制御部により制御されるように構成されている請求項１から３のいずれかに記載の変形可能ベッド。
【請求項５】
椅子が形成された場合に、背もたれとなる床部の下部に便器が垂設されており、
座部の中央部を形成する床部を、足側にスライドさせ、上記床部がスライドさせられる前の位置に上記便器をスライドさせることにより、トイレが形成されるように構成されている請求項１から４のいずれかに記載の変形可能ベッド。
【請求項６】
上記便器に落とされる汚物を吸引する吸引管が上記便器に取り付けられるように構成されている請求項１から５のいずれかに記載の変形可能ベッド。
【請求項７】
上記便器に水を送る送水管が上記便器に取り付けられるように構成されている請求項６に記載の変形可能ベッド。
【発明の詳細な説明】
【技術分野】
【０００１】
本発明は、椅子、椅子と机、及びトイレに変形することが可能である変形可能ベッドに関する。
【背景技術】
【０００２】
従来、ベッドの背中側部分が起立することで、病人、高齢者、障害者等の被介護者が座ることが出来るように構成されているベッドがある。
【０００３】
また、特開平２００１−１９０４４８号公報には、プラスチック製トイレと家具調部とからなる椅子型ポータブルトイレの発明について開示されている。
【特許文献１】特開平２００１−１９０４４８号公報
【発明の開示】
【発明が解決しようとする課題】
【０００４】
前者のベッドにおいて背中側部分を起立させた場合、脚は延ばしたままの状態であり、膝が曲げられず、腰に負担がかかり、疲れやすいという問題がある。
【０００５】
後者の上記椅子型ポータブルトイレにおいては、被介護者が寝たきりである場合、ベッドからこの椅子型ポータブルトイレに移るのが困難であるという問題がある。
【０００６】
本発明の目的は、膝を曲げて座ることが出来る椅子に変形することが可能であり、必要に応じて机も形成出来、さらにトイレに変形することも可能である変形可能ベッドの提供にある。
【課題を解決するための手段】
【０００７】
本発明に係る変形可能ベッドは、
（１）複数の床部
及び
（２）床部を昇降させる昇降アクチュエータ
を備えており、上記床部を各別に昇降させることにより、椅子が形成されるように構成されている。
【０００８】
好ましくは、床部により机が形成されるように構成されている。
【０００９】
好ましくは、床部に収納部が内設されている。
【００１０】
好ましくは、上記床部の昇降が制御部により制御されるように構成されている。
【００１１】
好ましくは、椅子が形成された場合に、背もたれとなる床部の下部に便器が垂設されており、座部の中央部を形成する床部を、足側にスライドさせ、上記床部がスライドさせられる前の位置に上記便器をスライドさせることにより、トイレが形成されるように構成されている。
【００１２】
好ましくは、汚物を吸引する吸引管が便器に取り付けられるように構成されている。
【００１３】
好ましくは、便器に水を送る送水管が便器に取り付けられるように構成されている。
【発明の効果】
【００１４】
本発明の変形可能ベッドによれば、膝を折り曲げて座ることが出来、腰の負担が少なく、疲れにくい椅子に、被介護者が寝たままの状態で変形され得る。机も形成可能である場合においては、部屋が狭いときに、椅子及び机を別個に設置しなくても済む。
【００１５】
床部に収納部が内設されている場合においては、収納スペースを確保することが出来る。
【００１６】
床部の昇降を制御する制御部を備える場合においては、容易に、適切に、変形され得る。
【００１７】
便器を備える場合においては、ベッドから移動することが出来ない被介護者が移動せずに用を足すことが出来る。
【００１８】
吸引管及び送水管が取り付けられている場合においては、臭いがなく、清潔にトイレを使用することが出来る。
【発明を実施するための最良の形態】
【００１９】
以下、適宜図面が参照されつつ、好ましい実施形態に基づいて本発明が詳細に説明される。
【００２０】
図１は、本発明の一実施形態に係る変形可能ベッド１が示された平面図であり、図２は、図１の変形可能ベッド１の側面図である。この変形可能ベッド１は、平面視が矩形状の床部２、床部３、床部４、床部５、床部６、床部７、床部８、床部９、これらより幅広の床部１０、床部１１、床部１２、床部１３、１２個の昇降アクチュエータ１４及び台座１５を備える。被介護者１６は、床部１０に頭を置くようにして、この変形可能ベッド１に横たわるように構成されている。
【００２１】
図３は、床部６が示された斜視図である。床部６は、クッション部６１、収納部６２、底板部６３及び２本の脚部６４を備える。収納部６２は上部が開口した箱状であり、この収納部６２を覆うようにクッション部６１が設けられている。クッション部６１及び収納部６２は底板部６３上に設けられており、底板部６３下面の中央部には、平面視が半円弧状の２本の脚部６４が、所定間隔、隔てられた状態で設けられている。脚部６４は、後述する昇降アクチュエータ１４の脚部載置部１４ｂ上に載置される。
【００２２】
床部６は、昇降アクチュエータ１４により昇降出来るように構成されている。昇降アクチュエータ１４は、天板部１４ａ、脚部載置部１４ｂ、ボルト１４ｃ、２本の支持部１４ｄ及びモータ部１４ｅを備える。図４は、床部６の脚部６４がさし通される前の昇降アクチュエータ１４が示された平面図である。天板部１４ａの中央側には挿通穴１４ｆが２つ設けられており、床部６の２本の脚部６４が挿通される。脚部載置部１４ｂの中央部の縦方向には雌ネジ１４ｇが設けられており、雌ネジ１４ｇの両側には挿通孔が設けられている。挿通孔には支持部１４ｄが挿通されている。支持部１４ｄの一端部は天板部１４ａに、他端部は台座１５に取り付けられている。ボルト１４ｃの一端部はモータ部１４ｅに取り付けられており、他端部は天板部１４ａに、図示しない軸受けを介して回転可能に取り付けられている。ボルト１４ｃがモータ部１４ｅにより回転させられ、このボルト１４ｃの回転に従い、雌ネジ１４ｇを介して脚部載置部１４ｂが昇降し、床部６が昇降する。
【００２３】
他の床部も床部６と同様に、その脚部が昇降アクチュエータ１４の脚部載置部１４ｂ上に載置され、昇降アクチュエータ１４により昇降されるように構成されている。
【００２４】
図５は、昇降アクチュエータ１４と制御部１７との関係が示されたブロック図である。床部２、床部３、床部４、床部５、床部６、床部７、床部８、床部９、床部１０、床部１１、床部１２及び床部１３を昇降させる１２個の昇降アクチュエータ１４は、制御部１７により各別に起動及びモータ部１４ｅの回転を制御されるように構成されている。
【００２５】
本実施形態の変形可能ベッド１は、以下のようにして椅子に変形される。図６は、変形可能ベッド１が椅子と机とに変形された状態が示された模式的斜視図である。頭側の床部２、床部１０及び床部６と、頭側から２列目の床部１１の両側の床部３及び床部７とが、制御部１７の制御に従い、昇降アクチュエータ１４により、床部１１より一段上昇させられる。床部１１より足側の床部１２は、床部１２の両側の床部４及び床部８を残して、床部１１より一段下降させられる。足側の床部５、床部１３及び床部９は、床部１１より一段上昇させられる。これにより、床部１１が座部、床部１１の両側の床部３及び床部７が肘掛け部、床部１０が背もたれ部、床部１２が足置き場、床部５、床部１３及び床部９が机となり、変形可能ベッド１が椅子と机とに変形される。
【００２６】
本実施形態の変形可能ベッド１においては、被介護者１６が寝たままの状態で、椅子に変形され得る。この変形された椅子は、膝を折り曲げて座ることが出来るので、腰の負担が少なく、疲れにくい。同時に、机も形成されるので、部屋が狭いときに、椅子及び机を別個に設置しなくても済む。各床部に収納部が内設されているので、収納スペースを確保することが出来、部屋のスペースを有効活用することが出来る。そして、この変形可能ベッド１は、各床部の昇降を制御する制御部１７を備えるので、容易に、適切に椅子に変形され得る。
【００２７】
なお、本実施形態においては、昇降アクチュエータ１４がボールネジ構造を有する場合につき説明しているがこれに限定されるものではなく、エアーシリンダや油圧シリンダ等を使用することにしてもよい。但し、ボールネジ構造を有する方が、装置全体がコンパクトに構成され得る。
【００２８】
図７は、本発明の他の実施形態に係る変形可能ベッド１８が示された模式的平面図である。図中、図１の変形可能ベッド１と同一部分は、同一符号で示されている。この変形可能ベッド１８においては、床部１１は、変形可能ベッド１８の長手方向と直交する方向に三分割されており、床小部１１ａ、床小部１１ｂ及び床小部１１ｃからなる。床小部１１ａ、床小部１１ｂ及び床小部１１ｃは、底板部１１ｄ上に設けられている。そして、この変形可能ベッド１８においては、頭側の床部１０の下側には、便器１９が垂設されている。
【００２９】
床部２、床部３、床部４、床部５、床部６、床部７、床部８、床部９、床部１０、床部１１、床部１２及び床部１３は、それぞれの下側に昇降アクチュエータ１４を備えており、制御部の制御に基づき、昇降アクチュエータ１４により各別に昇降されるように構成されている。
【００３０】
図８は、床部１０及び便器１９が示された側面図、図９は、図８の床部１０及び便器１９が示された正面図である。
【００３１】
床部１０は、クッション部１０ａ、収納部１０ｂ、底板部１０ｃ、２本の脚部１０ｄ及び２本の係止部１０ｅを備える。クッション部１０ａ及び収納部１０ｂは底板部１０ｃ上に設けられており、底板部１０ｃの下面には、平面視が半円弧状の２本の脚部１０ｄが、所定間隔、隔てられた状態で設けられている。脚部１０ｄは、昇降アクチュエータ１４の脚部載置部１４ｂ上に載置されている。底板部１０ｃの下面には、正面視がＬ字形の２本の係止部１０ｅが設けられており、この係止部１０ｅに、便器１９の後述する係止部１９ａが係止されている。
【００３２】
便器１９は上部が開口した箱状であり、便器１９の上面の長辺側端部には正面視が逆Ｌ字形の係止部１９ａが突設されており、この係止部１９ａが上記係止部１０ｅに係止されて、便器１９は、床部１０に垂設されている。便器１９の底部には、後述するスライドレール１１ｅに嵌められて、便器１９がスライドするためのレール挿通孔１９ｂが２本、設けられている。
【００３３】
便器１９の内側先端部には、排出孔１９ｃが設けられている。この排出孔１９ｃには、外側から吸引管２０が取り付けられており、便器１９に落とされた汚物が吸引管２０を介して外部へ排出されるように構成されている。
【００３４】
便器１９の先端部には、送水管２１が取り付けられており、便器１９に水が送られ、水噴出部１９ｄから水が噴出させされて便器１９内を洗浄することが出来るように構成されている。
【００３５】
本実施形態の変形可能ベッド１８は、図１の変形可能ベッド１と同様にして、椅子に変形された後、さらにトイレに変形される。図１０は、変形可能ベッド１８がトイレに変形された状態が示された模式的斜視図である。図１０中、床部５、床部６、床部７、床部８、床部９及び床部１３は省略されている。頭側の床部２及び床部１０、並びに床部３が、制御部の制御に従い、昇降アクチュエータ１４により、床部１１より一段上昇させられる。床部１１より足側の床部１２は、床部４を残して、床部１１より一段下降させられる。これにより、床部１１が座部、床部３が肘掛け部、床部１０が背もたれ部、床部１２が足置き場となり、変形可能ベッド１８が椅子に変形される。
【００３６】
この変形可能ベッド１８の床部１１においては、底板部１１ｄの上面中央部に、２本のスライドレール１１ｅが設けられている。床小部１１ｂの下部にはレール挿通孔１１ｆが２本、設けられており、このレール挿通孔１１ｆがスライドレール１１ｅに嵌められて、床小部１１ｂがスライド出来るように構成されている。
【００３７】
従って、本実施形態においては、変形可能ベッド１８が椅子に変形された後、床小部１１ｂが、一段下げられた床部１２上にスライドさせられ、床小部１１ｂがそれまで配されていた位置に、床部１０に垂設されていた便器１９が、係止部１０ｅ及びスライドレール１１ｅに沿ってスライドさせられて、トイレが形成される。この便器１９のスライドは、手動、又は制御部１７の制御に基づく電動によって行われる。
【００３８】
本実施形態の変形可能ベッド１８においては、ベッドから移動することが出来ない被介護者が移動することなく用を足すことが出来る。
【００３９】
本実施形態においては、便器１９に吸引管２０及び送水管２１が取り付けられた場合につき説明しているがこれに限定されるものではなく、便器を着脱自在のおまるとして構成することにしてもよい。但し、便器１９に吸引管２０及び送水管２１が取り付けられた方が、臭いがなく、清潔にトイレを使用することが出来る。
【産業上の利用可能性】
【００４０】
本発明は、病人，高齢者，障害者等の被介護者が寝るベッドを椅子、椅子と机、及びトイレに変形するために適用される。
【図面の簡単な説明】
【００４１】
【図１】図１は、本発明の一実施形態に係る変形可能ベッドが示された平面図である。
【図２】図２は、図１の変形可能ベッドの側面図である。
【図３】図３は、床部が示された斜視図である。
【図４】図４は、床部の脚部がさし通される前の昇降アクチュエータが示された平面図である。
【図５】図５は、昇降アクチュエータと制御部との関係が示されたブロック図である。
【図６】図６は、変形可能ベッドが椅子に変形された状態が示された模式的斜視図である。
【図７】図７は、本発明の他の実施形態に係る変形可能ベッドが示された平面図である。
【図８】図８は、床部、便器及び昇降アクチュエータが示された側面図である。
【図９】図９は、図８の床部、便器及び昇降アクチュエータが示された正面図である。
【図１０】図１０は、変形可能ベッドがトイレに変形された状態が示された模式的斜視図である。
【符号の説明】
【００４２】
１・・・変形可能ベッド
２・・・床部
３・・・床部
４・・・床部
５・・・床部
６・・・床部
７・・・床部
８・・・床部
９・・・床部
１０・・・床部
１１・・・床部
１２・・・床部
１３・・・床部
１４・・・昇降アクチュエータ
１４ａ・・・天板部
１４ｂ・・・脚部載置部
１４ｃ・・・ボルト
１４ｄ・・・支持部
１４ｅ・・・モータ部
１５・・・台座
１７・・・制御部
１８・・・変形可能ベッド
１９・・・便器
１９ａ・・・係止部
１９ｂ・・・レール挿通孔
１９ｃ・・・排出孔
１９ｄ・・・水噴出部
２０・・・吸引管
２１・・・送水管
【図１】
2006230494.tif 000003
【図２】
2006230494.tif 000004
【図３】
2006230494.tif 000005
【図４】
2006230494.tif 000006
【図５】
2006230494.tif 000007
【図６】
2006230494.tif 000008
【図７】
2006230494.tif 000009
【図８】
2006230494.tif 000010
【図９】
2006230494.tif 000011
【図１０】
2006230494.tif 000012